(57)【要約】【課題】既存の物理チャネルに影響を与えたり、移動局の送信電力におけるピーク電力対平均電力比を増大させたりすることなく、高効率伝送方式に従う高効率上りリンク物理制御信号を送信する。【解決手段】移動局から基地局に、パケット高速伝送方式に従う上りリンク物理制御チャネル（ＨＳ−ＤＰＣＣＨ）上の高速上りリンク物理制御信号と高効率伝送方式に従うＥＰＬＵＬ制御信号とを時間多重して送信する。【選択図】図４
2006033778.tif 000002
【特許請求の範囲】
【請求項１】
無線により基地局と送受信する無線部と、
高効率伝送方式に従う高効率上りリンク物理制御信号と、パケット高速伝送方式に従う高速上りリンク物理制御チャネル上の高速上りリンク物理制御信号とを時間多重して送信するように、前記無線部を制御する無線制御部と
を備えることを特徴とする移動局。
【請求項２】
前記無線制御部は、前記高速上りリンク物理制御チャネルに含まれる無線品質情報を送信する品質用タイムスロットにおいて前記高効率上りリンク物理制御信号を送信するように、前記無線部を制御することを特徴とする請求項１に記載の移動局。
【請求項３】
前記無線制御部は、前記基地局において既知のタイミングで前記高効率上りリンク物理制御信号を送信するように、前記無線部を制御することを特徴とする請求項１又は２に記載の移動局。
【請求項４】
前記高効率上りリンク物理制御信号の送信を前記基地局に通知する送信通知部を備え、
前記無線制御部は、前記通知に従って前記高効率上りリンク物理制御信号を送信するように、前記無線部を制御することを特徴とする請求項１又は２に記載の移動局。
【請求項５】
前記送信通知部は、前記パケット高速伝送方式において制御に使用されていない値を設定した通知信号、前記高速上りリンク物理制御チャネル上の信号に使用される拡散符号と異なる拡散符号により拡散された通知信号、又は、前記高速上りリンク物理制御チャネル上の信号と送信電力が異なる通知信号の少なくとも１つを送信することにより、前記通知を行うことを特徴とする請求項４に記載の移動局。
【請求項６】
前記無線制御部は、前記通知信号の送信電力を制御することを特徴とする請求項５に記載の移動局。
【請求項７】
前記無線制御部は、前記高効率上りリンク制御物理信号を送信する送信電力を制御することを特徴とする請求項１乃至６のいずれか１項に記載の移動局。
【請求項８】
パケット高速伝送方式に従う高速上りリンク物理制御チャネル上の高速上りリンク物理制御信号と時間多重されて送信される高効率伝送方式に従う高効率上りリンク物理制御信号を受信する無線部と、
前記時間多重された高速上りリンク物理制御信号及び高効率上りリンク物理制御信号から、該高効率上りリンク物理制御信号を検出する検出部と
を備えることを特徴とする基地局。
【請求項９】
前記検出部は、前記高速上りリンク物理制御チャネルに含まれる無線品質情報を送信する品質用タイムスロットにおいて送信される前記高効率上りリンク物理制御信号を検出することを特徴とする請求項８に記載の基地局。
【請求項１０】
前記検出部は、前記移動局から基地局において既知のタイミングで送信される前記高効率上りリンク物理制御信号を、前記既知のタイミングにおいて検出することを特徴とする請求項８又は９に記載の基地局。
【請求項１１】
前記検出部は、前記移動局からの前記高効率上りリンク物理制御信号の送信の通知に基づいて、前記高効率上りリンク物理制御信号を検出することを特徴とする請求項８又は９に記載の基地局。
【請求項１２】
前記検出部は、前記パケット高速伝送方式において制御に使用されていない値を設定した通知信号、前記高速上りリンク物理制御チャネル上の信号に使用される拡散符号と異なる拡散符号により拡散された通知信号、又は、前記高速上りリンク物理制御チャネル上の信号と送信電力が異なる通知信号の少なくとも１つに基づいて、前記高効率上りリンク物理制御信号を検出することを特徴とする請求項１１に記載の基地局。
【請求項１３】
前記検出部は、前記通知の信頼度を判定し、該判定結果に基づいて前記高効率上りリンク物理制御信号を検出することを特徴とする請求項１１又は１２に記載の基地局。
【請求項１４】
移動局が高効率伝送方式に従う高効率上りリンク物理制御信号と、パケット高速伝送方式に従う高速上りリンク物理制御チャネル上の高速上りリンク物理制御信号とを時間多重して基地局に送信する際に、前記高効率上りリンク物理制御信号を送信するタイミングを設定する設定部と、
該設定部により設定されたタイミングを前記移動局及び前記基地局に通知する設定内容通知部と
を備えることを特徴とする制御装置。
【請求項１５】
前記設定部は、前記移動局が前記高効率上りリンク物理制御信号を送信する際に、前記高効率上りリンク物理制御信号の送信を前記基地局において既知のタイミングで行う第１送信方法、又は、前記移動局から前記基地局に前記高効率上りリンク物理制御信号の送信を通知し、該通知に従って前記高効率上りリンク物理制御信号の送信を行う第２送信方法のいずれを行うかを設定し、
前記設定内容通知部は、前記設定部により設定された前記第１送信方法又は前記第２送信方法のいずれかを前記移動局に通知することを特徴とする請求項１４に記載の制御装置。
【請求項１６】
前記設定部は、前記通知に用いられる通知信号の通知信号送信電力値を設定し、
前記設定内容通知部は、前記設定部により設定された前記通知信号送信電力値を前記移動局に通知することを特徴とする請求項１５に記載の制御装置。
【請求項１７】
前記設定部は、前記通知の信頼度の閾値を設定し、
前記設定内容通知部は、前記設定部により設定された信頼度の閾値を前記基地局に通知することを特徴とする請求項１５又は１６に記載の制御装置。
【請求項１８】
前記設定部は、前記高効率上りリンク制御物理信号を送信する制御信号送信電力値を設定し、
前記設定内容通知部は、前記設定部により設定された前記制御信号送信電力値を前記移動局に通知することを特徴とする請求項１４乃至１７のいずれか１項に記載の制御装置。
【請求項１９】
高効率伝送方式に従う高効率上りリンク物理制御信号と、パケット高速伝送方式に従う高速上りリンク物理制御チャネル上の高速上りリンク物理制御信号とを時間多重して送信する移動局と、
前記時間多重された高速上りリンク物理制御信号及び高効率上りリンク物理制御信号から、該高効率上りリンク物理制御信号を検出する基地局と
を備えることを特徴とする移動通信システム。
【請求項２０】
移動局から基地局に、高効率伝送方式に従う高効率上りリンク物理制御信号と、パケット高速伝送方式に従う高速上りリンク物理制御チャネル上の高速上りリンク物理制御信号とを時間多重して送信することを特徴とする移動通信方法。
【発明の詳細な説明】
【技術分野】
【０００１】
本発明は、移動局、基地局、制御装置、移動通信システム及び移動通信方法に関する。
【背景技術】
【０００２】
Ｗ−ＣＤＭＡ（Wideband−Code  Division  Multiple  Access）は、国際標準化団体である３ＧＰＰ（Third  Generation  Partnership  Project）が標準化を進めている第三世代移動通信システムにおける無線アクセス方式である。既に仕様が決定しているＷ−ＣＤＭＡの上りリンクにおける物理チャネルには、図２１に示すように、ユーザデータを送信する個別物理データチャネル（ＤＰＤＣＨ：Dedicated  Physical  Data  CHannel）と、個別物理データチャネルに付随する個別物理制御チャネル（ＤＰＣＣＨ：Dedicated  Physical  Control  CHannel）と、下りパケット高速伝送方式（ＨＳＤＰＡ：High−Speed  Downlink  Packet  Access）に従う個別物理制御チャネル（ＨＳ−ＤＰＣＣＨ：High−Speed−ＤＰＣＣＨ）がある。移動局は、ＤＰＤＣＨ及びＤＰＣＣＨを１０ｍｓ長のフレームを用い、ＨＳ−ＤＰＣＣＨを２ｍｓ長のフレームを用いて送信する。このとき、移動局は、ＤＰＤＣＨ、ＤＰＣＣＨ、ＨＳ−ＤＰＣＣＨをコード多重する。
【０００３】
更に、３ＧＰＰでは、上りリンクにおける伝送効率の向上を図るために、上り高効率伝送方式（Enhanced  Uplink）の検討を進めている。上り高効率伝送方式では、新たな物理チャネルとして、ユーザデータを高効率で送信する個別物理データチャネル（Ｅ−ＤＰＤＣＨ：Enhanced−ＤＰＤＣＨ）が送信される。又、上り高効率伝送方式（ＥＵＬ：Enhanced  Uplink）に従う高効率上りリンク物理制御信号（ＵＬ制御信号）が送信される。以下、高効率伝送方式に従う高効率上りリンク物理制御信号を、「ＥＵＬＵＬ制御信号」と表す。
【０００４】
Ｅ−ＤＰＤＣＨは、既存の上りリンクにおける物理チャネルとコード多重して送信することが決定されているが、ＥＵＬＵＬ制御信号については決定されていない。ＥＵＬＵＬ制御信号の送信方法として、現在、図９に示す３つの方法が提案されている（例えば、非特許文献１参照）。
【０００５】
第１方法は、図２２（ａ）に示すように、ＥＵＬＵＬ制御信号を、ＤＰＤＣＨにおいて送信される他のトランスポートチャネルと多重することにより、ＤＰＤＣＨ上で送信する方法である。このとき、ＥＵＬＵＬ制御信号の品質はレートマッチング属性（Rate  matching  attribute）により調整する。
【０００６】
第２方法は、図２２（ｂ）に示すように、ＥＵＬＵＬ制御信号を、ＤＰＣＣＨにおいて送信される他の物理制御信号と、ＤＰＣＣＨの無線物理シンボルを分け合うことにより、ＤＰＣＣＨ上で送信する方法である。
【０００７】
第３方法は、図２２（ｃ）に示すように、ＥＵＬＵＬ制御信号に個別に拡散符号を割り当て、ＥＵＬＵＬ制御信号を他の上りリンクにおける物理チャネルとコード多重することにより送信する方法である。
【非特許文献１】3GPP  TR  25.896  V6.0.0（2004-03）
【発明の開示】
【発明が解決しようとする課題】
【０００８】
しかしながら、ＤＰＤＣＨやＤＰＣＣＨにＥＵＬＵＬ制御信号を詰め込む第１方法及び第２方法では、ＤＰＤＣＨやＤＰＣＣＨの無線リソースを圧迫してＥＵＬＵＬ制御信号を送信することになる。そのため、ＥＵＬＵＬ制御信号の信号量が増加すると、既存の物理チャネルに影響を与え、その伝送品質の劣化等を招いてしまう。
【０００９】
一方、第３方法では、ＥＵＬＵＬ制御信号を他の上りリンクにおける物理チャネルと拡散符号の異なる物理チャネルを用いて送信するため、他の物理チャネルの無線リソースを圧迫することはない。しかし、多重する拡散符号数が増加することで、移動局の送信電力におけるピーク電力対平均電力比（ＰＡＲ：Peak−to−Average  Ratio）が高くなることが懸念される。
【００１０】
そこで、本発明は、既存の物理チャネルに影響を与えたり、移動局の送信電力におけるピーク電力対平均電力比を増大させたりすることなく、高効率伝送方式に従う高効率上りリンク物理制御信号を送信することを目的とする。
【課題を解決するための手段】
【００１１】
本発明に係る移動局は、無線により基地局と送受信する無線部と、高効率伝送方式に従う高効率上りリンク物理制御信号と、パケット高速伝送方式に従う高速上りリンク物理制御チャネル上の高速上りリンク物理制御信号とを時間多重して送信するように、無線部を制御する無線制御部とを備えることを特徴とする。
【００１２】
高効率上りリンク物理制御信号と高速上りリンク物理制御信号とを時間多重して送信することによって、パケット高速伝送方式に従う物理チャネルの伝送品質はほとんど影響を受けない。しかも、時間多重を行うため、同時に送信する信号のコード多重数の増加を防止できる。そのため、移動局の送信電力におけるピーク電力対平均電力比の増大を防止できる。
【００１３】
よって、このような移動局によれば、既存の物理チャネルに影響を与えたり、移動局の送信電力におけるピーク電力対平均電力比を増大させたりすることなく、高効率伝送方式に従う高効率上りリンク物理制御信号を送信することができる。
【００１４】
無線制御部は、高効率パケット高速伝送方式に従う上りリンク物理制御チャネルに含まれる無線品質情報を送信する品質用タイムスロットにおいて、高効率上りリンク物理制御信号を送信するように、無線部を制御することが好ましい。無線品質情報は、パケット高速伝送方式に従う下りリンクにおけるデータ送信の制御に用いられる。この無線品質情報の送信頻度を抑えても、データ送信のスループットはほとんど影響を受けない。そのため、移動局は、既存の物理チャネルの伝送品質劣化を防止できる。
【００１５】
無線制御部は、基地局において既知のタイミングで高効率上りリンク物理制御信号を送信するように、無線部を制御することが好ましい。これによれば、基地局は、時間多重された信号の中から高効率上りリンク物理制御信号を識別することができる。
【００１６】
又、移動局は、高効率上りリンク物理制御信号の送信を基地局に通知する送信通知部を備え、無線制御部は、通知に従って高効率上りリンク物理制御信号を送信するように、無線部を制御するようにしてもよい。これによれば、基地局は、移動局からの通知に基づいて、時間多重された信号の中から高効率上りリンク物理制御信号を識別することができる。
【００１７】
送信通知部は、パケット高速伝送方式において制御に使用されていない値を設定した通知信号、高速上りリンク物理制御チャネル上の信号に使用される拡散符号と異なる拡散符号により拡散された通知信号、又は、高速上りリンク物理制御チャネル上の信号と送信電力が異なる通知信号の少なくとも１つを送信することにより、通知を行うことができる。
【００１８】
無線制御部は、通知信号の送信電力を制御することが好ましい。又、無線制御部は、高効率上りリンク物理制御信号を送信する送信電力を制御することが好ましい。これらによれば、移動局は、送信電力の制御により通知信号や上りリンク物理制御信号の所要品質を満たすことができる。
【００１９】
本発明に係る基地局は、パケット高速伝送方式に従う高速上りリンク物理制御チャネル上の高速上りリンク物理制御信号と時間多重されて送信される高効率伝送方式に従う高効率上りリンク物理制御信号を受信する無線部と、時間多重された高速上りリンク物理制御信号及び高効率上りリンク物理制御信号から、高効率上りリンク物理制御信号を検出する検出部とを備えることを特徴とする。
【００２０】
このような基地局によれば、高速上りリンク物理制御チャネル上の高速上りリンク物理制御信号と時間多重されて送信される高効率伝送方式に従う高効率上りリンク物理制御信号を受信した場合であっても、時間多重された高速上りリンク物理制御信号及び高効率上りリンク物理制御信号から、高効率上りリンク物理制御信号を検出できる。よって、移動局は、既存の物理チャネルに影響を与えたり、移動局の送信電力におけるピーク電力対平均電力比を増大させたりすることのない上記方法により、高効率上りリンク物理制御信号を送信することができる。
【００２１】
検出部は、高速上りリンク物理制御チャネルに含まれる無線品質情報を送信する品質用タイムスロットにおいて送信される高効率上りリンク物理制御信号を検出することが好ましい。これによれば、基地局は、品質用タイムスロットにおいて高効率上りリンク物理制御信号が送信された場合であっても、時間多重された高速上りリンク物理制御信号及び高効率上りリンク物理制御信号から、高効率上りリンク物理制御信号を検出できる。よって、移動局は、既存の物理チャネルに影響を与えたり、移動局の送信電力におけるピーク電力対平均電力比を増大させたりすることがなく、既存の物理チャネルの伝送品質劣化を防止できる方法により、高効率上りリンク物理制御信号を送信することができる。
【００２２】
検出部は、移動局から基地局において既知のタイミングで送信される高効率上りリンク物理制御信号を、既知のタイミングにおいて検出することができる。又、検出部は、移動局からの高効率上りリンク物理制御信号の送信の通知に基づいて、高効率上りリンク物理制御信号を検出するようにしてもよい。これらによれば、基地局は、時間多重された信号の中から高効率上りリンク物理制御信号を容易に識別することができる。
【００２３】
検出部は、パケット高速伝送方式において制御に使用されていない値を設定した通知信号、高速上りリンク物理制御チャネル上の信号に使用される拡散符号と異なる拡散符号により拡散された通知信号、又は、高速上りリンク物理制御チャネル上の信号と送信電力が異なる通知信号の少なくとも１つに基づいて、高効率上りリンク物理制御信号を検出できる。
【００２４】
検出部は、通知の信頼度を判定し、その判定結果に基づいて高効率上りリンク物理制御信号を検出することが好ましい。これによれば、基地局は、高効率上りリンク物理制御信号をより適切に検出できる。
【００２５】
本発明に係る制御装置は、移動局が高効率伝送方式に従う高効率上りリンク物理制御信号と、パケット高速伝送方式に従う高速上りリンク物理制御チャネル上の高速上りリンク物理制御信号とを時間多重して基地局に送信する際に、高効率上りリンク物理制御信号を送信するタイミングを設定する設定部と、設定部により設定されたタイミングを移動局及び基地局に通知する設定内容通知部とを備えることを特徴とする。
【００２６】
このような制御装置によれば、移動局が高効率上りリンク物理制御信号と高速上りリンク物理制御信号とを時間多重して送信した場合であっても、基地局が、時間多重された高速上りリンク物理制御信号及び高効率上りリンク物理制御信号から、高効率上りリンク物理制御信号を検出できるように、移動局は高効率上りリンク物理制御信号を送信することができる。よって、移動局は、既存の物理チャネルに影響を与えたり、移動局の送信電力におけるピーク電力対平均電力比を増大させたりすることのない上記方法により、高効率上りリンク物理制御信号を送信することができる。
【００２７】
又、設定部は、移動局が高効率上りリンク物理制御信号を送信する際に、高効率上りリンク物理制御信号の送信を基地局において既知のタイミングで行う第１送信方法、又は、移動局から基地局に高効率上りリンク物理制御信号の送信を通知し、その通知に従って高効率上りリンク物理制御信号の送信を行う第２送信方法のいずれを行うかを設定できる。この場合、設定内容通知部は、設定部により設定された第１送信方法又は第２送信方法のいずれかを移動局に通知する。これによれば、制御装置は、移動局に、第１送信方法と第２送信方法を必要に応じて使い分けさせることができる。
【００２８】
更に、設定部は、通知に用いられる通知信号の通知信号送信電力値を設定し、設定内容通知部は、設定部により設定された通知信号送信電力値を移動局に通知することが好ましい。又、設定部は、高効率上りリンク制御物理信号を送信する制御信号送信電力値を設定し、設定内容通知部は、設定部により設定された制御信号送信電力値を移動局に通知することができる。又、設定部は、通知の信頼度の閾値を設定し、設定内容通知部は、設定部により設定された信頼度の閾値を基地局に通知することができる。これらによれば、制御装置は、移動局による高効率上りリンク物理制御信号の送信や、基地局による高効率上りリンク物理制御信号の検出を適切に制御できる。
【００２９】
本発明に係る移動通信システムは、高効率伝送方式に従う高効率上りリンク物理制御信号と、パケット高速伝送方式に従う高速上りリンク物理制御チャネル上の高速上りリンク物理制御信号とを時間多重して送信する移動局と、時間多重された高速上りリンク物理制御信号及び高効率上りリンク物理制御信号から、高効率上りリンク物理制御信号を検出する基地局とを備えることを特徴とする。
【００３０】
本発明に係る移動通信方法は、移動局から基地局に、高効率伝送方式に従う高効率上りリンク物理制御信号と、パケット高速伝送方式に従う高速上りリンク物理制御チャネル上の高速上りリンク物理制御信号とを時間多重して送信することを特徴とする。
【発明の効果】
【００３１】
以上説明したように、本発明によれば、既存の物理チャネルに影響を与えたり、移動局の送信電力におけるピーク電力対平均電力比を増大させたりすることなく、高効率伝送方式に従う高効率上りリンク物理制御信号を送信することができる。
【発明を実施するための最良の形態】
【００３２】
（移動通信システム）
図１に示すように、移動通信システム１００は、基地局１０と移動局２０ａ〜２０ｃと、無線制御装置３０とを備える。無線制御装置３０は、基地局１０と移動局２０ａ〜２０ｃとの間の無線通信を制御する。基地局１０と移動局２０ａ〜２０ｃとの間には、無線リンクが確立される。無線リンクには、移動局２０ａ〜２０ｃから基地局１０に送信される上りリンク１と、基地局１０から移動局２０ａ〜２０ｃに送信される下りリンク２がある。具体的には、移動局２０ａ〜２０ｃと基地局１０は、図２に示すようにして物理チャネルを送信する。
【００３３】
移動局２０ａ〜２０ｃ及び基地局１０は、各移動局に個別の個別物理チャネルを用いてユーザデータを送信する。上りリンクでは、移動局２０ａ〜２０ｃは、上りＤＰＤＣＨ／ＤＰＣＣＨ１ｂ、又は、Ｅ−ＤＰＤＣＨ／ＥＵＬＵＬ制御信号１ａの少なくとも１つを用いてユーザデータを送信できる。上りＤＰＤＣＨ／ＤＰＣＣＨ１ｂと、Ｅ−ＤＰＤＣＨ／ＥＵＬＵＬ制御信号１ａと、ＨＳ−ＤＰＣＣＨ１ｃは、上りリンクにおける物理チャネルである。
【００３４】
上りＤＰＤＣＨ／ＤＰＣＣＨ１ｂは、ユーザデータを送信する個別物理データチャネル（ＤＰＤＣＨ：Dedicated  Physical  Data  CHannel）と、その個別物理データチャネルに付随する個別物理制御チャネル（ＤＰＣＣＨ：Dedicated  Physical  Control  CHannel）である。
【００３５】
Ｅ−ＤＰＤＣＨ／ＥＵＬＵＬ制御信号１ａは、上り高効率伝送方式（Enhanced  Uplink）に従い、ユーザデータを高効率で送信する個別物理データチャネル（Ｅ−ＤＰＤＣＨ：Enhanced−ＤＰＤＣＨ）と、ＥＵＬＵＬ制御信号である。ＥＵＬＵＬ制御信号は、上り高効率伝送方式（ＥＵＬ：Enhanced  Uplink）に従う高効率上りリンク物理制御信号（ＵＬ制御信号）である。
【００３６】
ＨＳ−ＤＰＣＣＨ１ｃは、下りパケット高速伝送方式（ＨＳＤＰＡ：High−Speed  Downlink  Packet  Access）に従う個別物理制御チャネル（High−Speed−ＤＰＣＣＨ）である。即ち、ＨＳ−ＤＰＣＣＨは、パケット高速伝送方式に従う高速上りリンク物理制御チャネルである。そして、高速上りリンク物理制御チャネル上で高速上りリンク物理制御信号が送信される。
【００３７】
下りリンクでは、基地局１０は、下りＤＰＤＣＨ／ＤＰＣＣＨ２ｂ、又は、ＨＳ−ＤＳＣＨ２ｃの少なくとも１つを用いてユーザデータを送信できる。下りＤＰＤＣＨ／ＤＰＣＣＨ２ｂと、下りＥ−ＤＰＣＣＨ２ａと、ＨＳ−ＤＳＣＨ２ｃは、下りリンクにおける物理チャネルである。
【００３８】
ＨＳ−ＤＳＣＨ２ｃは、下りパケット高速伝送方式（ＨＳＤＰＡ）に従い、ユーザデータを高速で送信する共有物理データチャネル（ＨＳ−Downlink  Shared  CHannel）である。図２では、移動局２０ａ，２０ｃにこの時点では割り当てられていないＨＳ−ＤＳＣＨ２ｃを点線で示す。ＨＳ−ＤＳＣＨ２ｃが割り当てられた移動局２０ｂは、下りリンクにおけるユーザデータを主にＨＳ−ＤＳＣＨ２ｃを用いて送信する。
【００３９】
このような移動局２０ａ〜２０ｃと基地局１０との間の物理チャネル送信において、移動通信システム１００では、移動局２０ａ〜２０ｃから基地局１０に、高効率伝送方式に従う高効率上りリンク物理制御信号と、パケット高速伝送方式に従う高速上りリンク物理制御チャネル上の高速上りリンク物理制御信号とを時間多重して送信する。
【００４０】
図３〜図５を用い、上りリンクにおける複数の物理チャネルの送信について詳細に説明する。図３〜図５において、横軸は時間を示し、縦軸は拡散符号を示す。図３に、上り高効率伝送方式（Enhanced  Uplink）に従うＥ−ＤＰＤＣＨ／ＥＵＬＵＬ制御信号を送信しないときの上りリンクにおける物理チャネルのフレームフォーマットとコード多重構成を示す。ＤＰＤＣＨとＤＰＣＣＨのフレーム長は１０ｍｓである。
【００４１】
ＨＳ−ＤＰＣＣＨは、サブフレーム長が２ｍｓであるＨＳ−ＤＰＣＣＨサブフレーム３を時間多重して構成される。ＨＳ−ＤＰＣＣＨでは、ＨＳ−ＤＰＣＣＨサブフレーム３が繰り返し送信される。ＤＰＤＣＨと、ＤＰＣＣＨと、ＨＳ−ＤＰＣＣＨは、異なる３つの拡散符号を用いてコード多重され、同時に送信される。
【００４２】
ＨＳ−ＤＰＣＣＨサブフレーム３は、送達確認情報（Ａｃｋ：Acknowledge）と無線品質情報（ＣＱＩ：Channel  Quality  Indicator）を含む。具体的には、ＨＳ−ＤＰＣＣＨサブフレーム３は、送達確認情報（Ａｃｋ）を送信するタイムスロット１つと、無線品質情報（ＣＱＩ）を送信する品質用タイムスロット２つを含み、合計３つのタイムスロットを含む。以下、無線品質情報（ＣＱＩ）を送信する品質用タイムスロットを「ＣＱＩスロット」という。サブフレーム３の先頭スロットを用いて送達確認情報（Ａｃｋ）が、後半の２スロットを用いて無線品質情報（ＣＱＩ）が送信される。このパターンは固定されているため、基地局１０はＨＳ−ＤＰＣＣＨ上のＡｃｋとＣＱＩを識別できる。
【００４３】
送達確認情報（Ａｃｋ）は、下りリンクにおいてＨＳ―ＤＳＣＨにより送信されたユーザデータを、移動局２０ａ〜２０ｃが正常に受信できたか否かを示す情報である。送達確認は、各移動局２０ａ〜２０ｃが物理層レベルで行う。Ａｃｋには、ＨＡＲＱ−Ａｃｋ（Hybrid  Automatic  Repeat  reQuest−Ａｃｋ）等がある。
【００４４】
無線品質情報（ＣＱＩ）は、下りリンクの無線品質に関する情報である。無線品質情報（ＣＱＩ）は、各移動局２０ａ〜２０ｃと基地局１０との間の下りリンクの無線品質であり、各移動局２０ａ〜２０ｃにおいて判定される。無線品質情報（ＣＱＩ）は、パケット高速伝送方式に従う下りリンクにおけるデータ送信の制御に用いられる。具体的には、基地局１０が、無線品質情報（ＣＱＩ）に基づいて、ＨＳ−ＤＳＣＨを割り当てる移動局やＨＳ−ＤＳＣＨにおけるデータ送信の伝送レート等を決定する。
【００４５】
図４、図５に、上り高効率伝送方式（Enhanced  Uplink）に従うＥ−ＤＰＤＣＨ／ＥＵＬＵＬ制御信号を送信するときの上りリンクにおける物理チャネルのフレームフォーマットとコード多重構成を示す。図４、図５では、Ｅ−ＤＰＤＣＨ／ＥＵＬＵＬ制御信号を送信していない状態から送信する状態への移行時を示す。Ｅ−ＤＰＤＣＨのフレーム長には、１０ｍｓと２ｍｓの２種類がある。図４にフレーム長が１０ｍｓの場合を、図５にフレーム長が２ｍｓの場合を示す。
【００４６】
移動局２０ａ〜２０ｃは、上り高効率伝送方式に従うＥ−ＤＰＤＣＨ／ＥＵＬＵＬ制御信号の送信を開始すると、ＤＰＤＣＨと、ＤＰＣＣＨと、ＨＳ−ＤＰＣＣＨと、Ｅ−ＤＰＤＣＨを、異なる４つの拡散符号を用いてコード多重し、同時に送信する。移動局２０ａ〜２０ｃは、Ｅ−ＤＰＤＣＨのフレーム長が２ｍｓの場合には、複数のＥ−ＤＰＤＣＨフレームを時間多重する。
【００４７】
更に、移動局２０ａ〜２０ｃは、ＨＳ−ＤＰＣＣＨに含まれるＣＱＩスロットにおいて、ＥＵＬＵＬ制御信号を送信する。移動局２０ａ〜２０ｃは、無線品質情報（ＣＱＩ）を、ＨＳ−ＤＰＣＣＨの全てのフレームにおいて送信することも、間隔をおき、いくつかのＨＳ−ＤＰＣＣＨのフレームにおいて送信することも可能である。よって、移動局２０ａ〜２０ｃは、ＣＱＩタイムスロットを用いてＥＵＬＵＬ制御信号を送信できる。
【００４８】
移動局２０ａ〜２０ｃは、ＥＵＬＵＬ制御信号を送信する必要が生じた場合、通常、無線品質情報（ＣＱＩ）を設定するＣＱＩスロットにＥＵＬＵＬ制御信号を設定し、ＨＳ−ＤＰＣＣＨとＥＵＬＵＬ制御信号を時間多重して送信する。即ち、移動局２０ａ〜２０ｃは、ＥＵＬＵＬ制御信号を送信する必要が生じた場合には、ＨＳ−ＤＰＣＣＨにおいて無線品質情報（ＣＱＩ）を送信せずに、無線品質情報（ＣＱＩ）をＥＵＬＵＬ制御信号に置き換えて送信する。このとき、図４、図５では、ＨＳ−ＤＰＣＣＨとＥＵＬＵＬ制御信号を同一拡散符号の物理チャネルにより送信している。しかし、ＨＳ−ＤＰＣＣＨとＥＵＬＵＬ制御信号は時間多重されており、送信するタイミングが異なる。そのため、ＨＳ−ＤＰＣＣＨとＥＵＬＵＬ制御信号を異なる拡散符号の物理チャネルにより送信しても構わない。
【００４９】
ＥＵＬＵＬ制御信号と無線品質情報（ＣＱＩ）の送信間隔、即ち、ＥＵＬＵＬ制御信号と無線品質情報（ＣＱＩ）の送信に割り当てる無線リソース量は、例えば、ＥＵＬＵＬ制御信号の信号量や、下りリンクの無線品質の変動状況等に応じて決定できる。例えば、ＥＵＬＵＬ制御信号の信号量が多い場合や、下りリンクの無線品質が安定しており変動が小さい場合には、ＥＵＬＵＬ制御信号の送信に多くの無線リソース量を割り当て、ＥＵＬＵＬ制御信号の送信間隔を短くし、ＥＵＬＵＬ制御信号の送信頻度を上げることができる。
【００５０】
一方、例えば、ＥＵＬＵＬ制御信号の信号量が少ない場合や、下りリンクの無線品質が不安定で変動が大きい場合には、ＥＵＬＵＬ制御信号の送信に割り当てる無線リソース量を減らし、ＥＵＬＵＬ制御信号の送信間隔を長くし、ＥＵＬＵＬ制御信号の送信頻度を下げることができる。このようなＥＵＬＵＬ制御信号と無線品質情報（ＣＱＩ）の送信間隔の設定（ＥＵＬＵＬ制御信号と無線品質情報（ＣＱＩ）の送信に割り当てる無線リソース量の設定）は、移動局２０ａ〜２０ｃが行ってもよく、基地局１０が行ってもよい。尚、ＥＵＬＵＬ制御信号と無線品質情報（ＣＱＩ）の送信間隔は、予め運用により設定しておくこともできる。
【００５１】
尚、図４、図５に示すように、Ｅ−ＤＰＤＣＨ／ＥＵＬＵＬ制御信号を送信しないときは、移動局２０ａ〜２０ｃは、ＨＳ−ＤＰＣＣＨにおいて、通常通り、無線品質情報（ＣＱＩ）を送信する。又、図４、図５では、Ｅ−ＤＰＤＣＨとＥＵＬＵＬ制御信号は、コード多重され、同時に送信されているが、Ｅ−ＤＰＤＣＨとＥＵＬＵＬ制御信号は同時に送信されなくてもよい。
【００５２】
このようにして、移動通信システム１００では、パケット高速伝送方式に従う高速上りリンク物理制御チャネルに含まれる無線品質情報を送信する品質用タイムスロットにおいて、高効率伝送方式に従う高効率上りリンク物理制御信号（ＥＵＬＵＬ制御信号）を送信する。移動通信システム１００は、これにより、高速上りリンク物理制御信号と高効率上りリンク物理制御信号とを時間多重して送信する。即ち、移動通信システム１００では、移動局２０ａ〜２０ｃから基地局１０に、ＥＵＬＵＬ制御信号とＨＳ−ＤＰＣＣＨ上の高速上りリンク物理制御信号とを時間多重して送信する。
【００５３】
ここで、図６に、無線品質情報（ＣＱＩ）の送信間隔が、パケット高速伝送方式に従う下りリンクにおけるデータ送信に与える影響の評価結果を示す。無線品質情報（ＣＱＩ）の送信間隔を１、２、４、５、１０（ＴＴＩ：Transmission  Time  Interval）と変化させ、そのときのＨＳ−ＤＳＣＨにおけるデータ送信のスループットを評価した。図６では、「Ｘ（ＴＴＩ）」は、ＨＳ−ＤＰＣＣＨのフレーム、Ｘフレームに１回の割合で無線品質情報（ＣＱＩ）を送信することを示す。例えば、「１ＴＴＩ」は、ＨＳ−ＤＰＣＣＨの全てのフレームにおいて無線品質情報（ＣＱＩ）を送信することを示す。「１０ＴＴＩ」は、ＨＳ−ＤＰＣＣＨのフレーム、１０フレームに１回の割合で無線品質情報（ＣＱＩ）を送信することを示す。
【００５４】
図６において、縦軸はスループット（ｂｐｓ）を示し、横軸はＩor／Ｉoc（ｄＢ）を示す。Ｉor／Ｉocは、通信中の基地局と移動局の距離を示す変数である。Ｉor／Ｉocが大きいほど、移動局が通信中の基地局と近いことを示す。又、移動局の移動速度が３ｋｍ／ｈ（Vehicular−Ａ）、基地局が下りのＨＳ−ＤＳＣＨに割り当てる送信電力が基地局の送信電力の５０％（Ｅc/Ｉor＝５０％）の条件で評価を行った。図６より明らかなように、無線品質情報（ＣＱＩ）の送信間隔を長くし、その送信頻度を抑えても、ＨＳ−ＤＳＣＨにおけるデータ送信のスループットは劣化せず、ほとんど影響を受けない。
【００５５】
次に、このような物理チャネルの送受信に用いられる移動局２０ａ〜２０ｃ、基地局１０、無線制御装置３０の構成について説明する。図７に示すように、移動局２０ａは、アンテナ２５と、無線部２１と、ベースバンド信号処理部２２と、無線制御部２３と、インタフェース２４と、送信通知部２６とを備える。図７では、無線通信機能部分以外の説明を省略する。又、移動局２０ｂ，２０ｃも移動局２０ａと同様の構成を備える。
【００５６】
無線部２１は、無線により物理チャネルを基地局１０と送受信する。無線部２１は、無線制御部２３の制御に従って、アンテナ２５を介して基地局１０と物理チャネルを送受信する。無線部２１は、ユーザデータをベースバンド信号処理部２２から取得し、制御データを制御部２３から取得する。
【００５７】
無線制御部２３は、高効率伝送方式に従う高効率上りリンク物理制御信号と、パケット高速伝送方式に従う高速上りリンク物理制御チャネル上の高速上りリンク物理制御信号とを時間多重して送信するように、無線部２１を制御する。具体的には、無線制御部２３は、ＨＳ−ＤＰＣＣＨに含まれるＣＱＩスロットにおいて、ＥＵＬＵＬ制御信号を送信するように無線部２１を制御する。
【００５８】
無線制御部２３は、ＥＵＬＵＬ制御信号を送信する必要が生じた場合には、通常、無線品質情報（ＣＱＩ）を設定するＣＱＩスロットにＥＵＬＵＬ制御信号を設定し、ＨＳ−ＤＰＣＣＨ上の高速上りリンク物理制御信号とＥＵＬＵＬ制御信号を時間多重して送信するように無線部２１に指示をする。即ち、無線制御部２３は、ＨＳ−ＤＰＣＣＨのＣＱＩスロットにおいてＥＵＬＵＬ制御信号を送信するように無線部２１に指示し、制御する。
【００５９】
無線制御部２３は、例えば、ＥＵＬＵＬ制御信号と無線品質情報（ＣＱＩ）の送信間隔を設定し、設定した送信間隔に従って指示を行ってもよく、基地局１０から指定された送信間隔に従って指示を行ってもよく、予め運用により設定された送信間隔に従って指示を行ってもよい。
【００６０】
又、無線制御部２３は、送達確認を行い、送達確認情報（Ａｃｋ）を生成する。更に、無線制御部２３は、下りリンクの無線品質を判定し、無線品質情報（ＣＱＩ）を生成する。無線制御部２３は、送達確認情報（Ａｃｋ）や無線品質情報（ＣＱＩ）等の制御データを無線部２１に入力する。送信通知部２６は、必要に応じて上りリンク物理制御信号（ＥＵＬＵＬ制御信号）の送信を基地局１０に通知する。送信通知部２６は、ＥＵＬＵＬ制御信号送信の通知を無線制御部２３に入力する。
【００６１】
インタフェース２４は、外部装置や移動局２０ａの他の機能からユーザデータを取得し、ベースバンド信号処理部２２に入力する。ベースバンド信号処理部２２は、インタフェース２４から取得したユーザデータにベースバンド信号処理を行い、処理したユーザデータを無線部２１に入力する。
【００６２】
図８に示すように、基地局１０は、アンテナ１５と、無線部１１と、ベースバンド信号処理部１２と、制御部１３と、ネットワークインタフェース１４と、検出部１６とを備える。
【００６３】
無線部１１は、無線により物理チャネルを移動局２０ａ〜２０ｃと送受信する。無線部１１は、パケット高速伝送方式に従う高速上りリンク物理制御チャネル上の高速上りリンク物理制御信号と時間多重されて送信される高効率伝送方式に従う高効率上りリンク物理制御信号を受信する。即ち、無線部１１は、ＥＵＬＵＬ制御信号とＨＳ−ＤＰＣＣＨ上の高速上りリンク物理制御信号とが時間多重された信号を受信する。
【００６４】
無線部１１は、制御部１３の制御に従って、アンテナ１５を介して移動局２０ａ〜２０ｃと物理チャネルを送受信する。無線部１１は、ユーザデータをベースバンド信号処理部１２から取得し、制御データを制御部１３から取得する。ネットワークインタフェース１４は、無線制御装置３０とユーザデータや制御データを送受信する。ベースバンド信号処理部１２は、ネットワークインタフェース１４から取得したユーザデータにベースバンド信号処理を行い、処理したユーザデータを無線部１１に入力する。
【００６５】
制御部１３は、無線部１１、ネットワークインタフェース１４、ベースバンド信号処理部１２を制御する。検出部１６は、無線部１１が受信した時間多重された高速上りリンク物理制御信号及び高効率上りリンク物理制御信号から、高効率上りリンク物理制御信号を検出する。即ち、検出部１６は、ＨＳ−ＤＰＣＣＨからＥＵＬＵＬ制御信号を検出する。検出部１６は、ＣＱＩスロットにおいて送信されるＥＵＬＵＬ制御信号を検出する。検出部１６は、無線部１１を監視し、検出したＥＵＬＵＬ制御信号を制御部１３に入力する。
【００６６】
図９に示すように、無線制御装置３０は、ネットワークインタフェース３１と、制御部３２とを備える。ネットワークインタフェース３１は、コアネットワークや基地局１０と、制御データやユーザデータを送受信する。制御部３２は、基地局１０と移動局２０ａ〜２０ｃとの無線通信を制御する。
【００６７】
次に、ＨＳ−ＤＰＣＣＨからＥＵＬＵＬ制御信号を検出するための仕組みについて詳細に説明する。移動通信システム１００では、ＥＵＬＵＬ制御信号をＣＱＩスロットにおいて送信する。このとき、基地局１０は、ＣＱＩスロットにおいて受信している信号がＥＵＬＵＬ制御信号であるか、ＣＱＩであるかを識別し、ＥＵＬＵＬ制御信号を検出する。以下、移動局２０ａと基地局１０との間の制御を例にとって説明する。
【００６８】
（第１送信方法）
第１送信方法として、移動局２０ａの無線制御部２３が基地局１０において既知のタイミングでＥＵＬＵＬ制御信号を送信するように、無線部２１を制御することができる。この場合、基地局１０の検出部１６は、移動局２０ａから基地局において既知のタイミングで送信されるＥＵＬＵＬ制御信号を、既知のタイミングにおいて検出することができる。これによれば、基地局１０は、時間多重された信号の中からＥＵＬＵＬ制御信号を識別することができる。
【００６９】
具体的には、図１０に示すように、移動局２０ａは、ＨＳ−ＤＰＣＣＨ１ｃ上のＡｃｋ及びＣＱＩと同様に、基地局１０において既知のタイミングでＥＵＬＵＬ制御信号をＣＱＩスロットにおいて送信する。例えば、移動局２０ａが、基地局１０において既知な周期によりＥＵＬＵＬ制御信号をＣＱＩスロットにおいて送信する。この方法は、ＥＵＬＵＬ制御信号が周期的に送るべき信号である場合に有効である。
【００７０】
図１０では、制御装置４０が、移動局２０ａがＥＵＬＵＬ制御信号とＨＳ−ＤＰＣＣＨ上の高速上りリンク物理制御信号とを時間多重して基地局１０に送信する際に、ＥＵＬＵＬ制御信号を送信するタイミングを設定し、設定したタイミングを移動局２０ａ及び基地局１０に通知する。これによれば、設定したタイミングを移動局２０ａにおいても、基地局１０においても既知とできる。
【００７１】
制御装置４０は、設定部４１と、設定内容通知部４２とを備える。設定部４１は、移動局２０ａがＥＵＬＵＬ制御信号と、ＨＳ−ＤＰＣＣＨ上の高速上りリンク物理制御信号とを時間多重して基地局１０に送信する際に、ＥＵＬＵＬ制御信号を送信するタイミングを設定する。設定内容通知部４２は、設定部４１により設定されたタイミングを移動局２０ａ及び基地局１０に通知する。
【００７２】
制御装置４０は、基地局１０や無線制御装置３０等に設けることができる。制御装置４０が基地局１０に設けられた場合は、設定内容通知部４２は、設定されたタイミングを、基地局１０において既知のＥＵＬＵＬ信号を送信するタイミングとして図８に示した検出部１６に通知することにより、基地局１０に通知する。制御装置４０が無線制御装置３０に設けられた場合は、設定内容通知部４２は、図９に示したネットワークインタフェース３１を介して、基地局１０に設定されたタイミングを通知する。いずれの場合も、設定内容通知部４２は、移動局１０には、基地局１０を介して設定されたタイミングを通知する。
【００７３】
設定部４１は、ＥＵＬＵＬ制御信号を送信するタイミングとして、一定の送信周期を設定できる。例えば、設定部４１は、送信周期を３サブフレームと設定する。設定内容通知部４２は、設定した送信周期３サブフレームを移動局２０ａ及び基地局１０に通知する。移動局２０ａの無線制御部２３は、３サブフレーム毎にＨＳ−ＤＰＣＣＨ１ｃ上でのＣＱＩの送信を停止し、ＥＵＬＵＬ制御信号をＣＱＩスロットで送信するように無線部２１を制御する。
【００７４】
基地局１０の検出部１６は、制御装置４０からのタイミングの通知により、移動局２０ａがＥＵＬＵＬ制御信号を送信するタイミングを把握できる。よって、検出部１６は、無線部１１が３サブフレーム毎に受信するＨＳ−ＤＰＣＣＨ１ｃのＣＱＩスロットにおいて、ＥＵＬＵＬ制御信号を検出する。
【００７５】
移動局２０ａは、例えば、ＥＵＬＵＬ制御信号として、ＲＲ（Rate Request）／ＳＩ（Scheduling Information）を基地局１０に送信できる。ＲＲ／ＳＩは、３ＧＰＰにおいて議論されているＥＵＬＵＬ制御信号の１つである。ＲＲ及びＳＩは、高効率伝送方式において基地局１０が移動局２０ａに割り当てる上り無線リソースを計算するために必要な情報である。
【００７６】
（第２送信方法）
第２送信方法として、移動局２０ａの送信通知部２６が、ＥＵＬＵＬ制御信号の送信を基地局１０に通知する。そして、移動局２０ａの無線制御部２３は、通知に従ってＥＵＬＵＬ制御信号を送信するように、無線部２１を制御する。この場合、基地局１０の検出部１６は、移動局２０ａからのＥＵＬＵＬ制御信号の送信の通知に基づいて、ＥＵＬＵＬ制御信号を検出するこができる。これによれば、基地局１０は、移動局２０ａからの通知に基づいて、時間多重された信号の中からＥＵＬＵＬ制御信号を識別することができる。
【００７７】
図１１に示すように、移動局２０ａの送信通知部２６は、ＥＵＬＵＬ制御信号送信前に、ＨＳ−ＤＰＣＣＨ１ｃにより通知信号を基地局１０に送信する。移動局２０ａは、ＣＱＩの送信を停止してＥＵＬＵＬ制御信号を送信する。移動局２０ａは、ＥＵＬＵＬ制御信号送信よりも１サブフレーム手前のＣＱＩスロットにおいても、ＣＱＩの送信を停止し、通知信号を基地局１０に送信する。このように移動局２０ａは、通知信号に従って、その通知信号送信の直後にＥＵＬＵＬ制御信号を送信することができる。基地局１０は、通知信号を受信し、ＥＵＬＵＬ制御信号の送信を把握し、ＥＵＬＵＬ制御信号を検出できる。
【００７８】
移動局２０ａの送信通知部２６は、例えば、パケット高速伝送方式において制御に使用されていない値を設定した通知信号、高速上りリンク物理制御チャネル上の信号に使用される拡散符号と異なる拡散符号により拡散された通知信号、又は、高速上りリンク物理制御チャネル上の信号と送信電力が異なる通知信号の少なくとも１つを送信することにより、通知を行うことができる。
【００７９】
この場合、基地局１０の検出部１６は、パケット高速伝送方式において制御に使用されていない値を設定した通知信号、高速上りリンク物理制御チャネル上の信号に使用される拡散符号と異なる拡散符号により拡散された通知信号、又は、高速上りリンク物理制御チャネル上の信号と送信電力が異なる通知信号の少なくとも１つに基づいて、高効率上りリンク物理制御信号を検出することができる。
【００８０】
以下、３つの通知信号についてより具体的に説明する。第１に、パケット高速伝送方式において制御に使用されていない値を設定した通知信号として、例えば、移動局２０ａは、ＨＳＤＰＡでは使用しないＣＱＩ値「３１」を通知信号として送信できる。以下ＣＱＩ値「３１」を、「ＣＱＩ３１」と表す。移動局２０ａは、ＥＵＬＵＬ制御信号を送信する前のＣＱＩスロットにおいてＣＱＩ３１を送信する。ＣＱＩは５ビットで表されるため、２の５乗、合計３２通りのＣＱＩをＨＳＤＰＡで扱うことができる。現在の３ＧＰＰ仕様では、ＣＱＩ３１をリザーブしている。そのため、移動局２０ａが、ＥＵＬＵＬ制御信号送信の通知信号としてＣＱＩ３１を送信することにより、基地局１０は、通知信号として認識できる。よって、基地局１０の検出部１６は、ＥＵＬＵＬ信号を検出できる。
【００８１】
このように、移動局２０ａは、物理レイヤにて基地局１０にＥＵＬＵＬ制御信号の送信を通知する。即ち、移動局２０ａは、基地局１０にＥＵＬＵＬ制御信号送信イベントのトリガを与える。この通知方法はＥＵＬＵＬ制御信号の性質がイベントトリガで送るべき信号である場合に有効である。
【００８２】
第２に、高速上りリンク物理制御チャネル上の信号に使用される拡散符号と異なる拡散符号により拡散された通知信号として、移動局２０ａは、例えば、高速上りリンク物理制御チャネル上の信号に使用されるＯＶＳＦ（Orthogonal  Variable  Spreading  Factor）コードとは異なるＯＶＳＦコードにより拡散された通知信号を送信することができる。ＨＳ−ＤＰＣＣＨ１ｃ上の信号は、ＣＱＩを含めて、固定のＯＶＳＦコードにより拡散される。そのため、移動局２０ａは、ＣＱＩとは異なるＯＶＳＦコードにより拡散した信号を通知信号として基地局１０に送信できる。基地局１０の検出部は、ＣＱＩとは異なるＯＶＳＦコードにより拡散した信号を通知信号として認識できる。よって、基地局１０の検出部１６は、ＥＵＬＵＬ信号を検出できる。例えば、移動局２０ａは、ＣＱＩとはコードツリーが異なるＯＶＳＦコードや、ＣＱＩと同じコードツリーであって、ＣＱＩとは枝が異なるＯＶＳＦコード等を用いることができる。
【００８３】
第３に、高速上りリンク物理制御チャネル上の信号と送信電力が異なる通知信号として、移動局２０ａは、送信時のパワーオフセット（Power Offset、以下「ＰＯ」と表す）変化させた通知信号を送信することができる。ＣＱＩの送信は制御装置４０により指定された固定のＰＯにより行われる。移動局２０ａは、通知信号として、通常のＣＱＩ送信時のＰＯよりも高いＰＯを用いた通知用のＣＱＩを送信することができる。
【００８４】
この場合、図１２に示すように、基地局１０の検出部１６は、受信電力判定を行う。検出部１６は、基地局１０の受信電力が電力閾値よりも高い場合には通知信号と判断し、ＥＵＬＵＬ制御信号の送信を検出する。一方、検出部１６は、受信電力が電力閾値よりも低い場合には、通常のＣＱＩと判断し、ＥＵＬＵＬ制御信号は送信されないと判断する。
【００８５】
移動局２０ａ及び基地局１０は、第１送信方法及び第２送信方法を、用途により使い分けることができる。又、制御装置４０が、どちらを適用するかを設定し、移動局２０ａと基地局１０に指示してもよい。具体的には図１３に示すように、制御装置４０の設定部４１は、移動局２０ａがＥＵＬＵＬ制御信号とＨＳ−ＤＰＣＣＨ１ｃ上の高速上りリンク物理制御信号とを時間多重して送信する際に、ＥＵＬＵＬ制御信号の送信を基地局１０において既知のタイミングで行う第１送信方法、又は、移動局２０ａから基地局１０にＵＥＬＵＬ制御信号の送信を通知し、その通知に従ってＥＵＬＵＬ制御信号の送信を行う第２送信方法のいずれを行うかを設定する。設定内容通知部４２は、設定部４１により設定された第１送信方法又は第２送信方法のいずれかを、移動局２０ａ及び基地局１０に通知する。尚、設定内容通知部４２は、少なくとも移動局２０ａに送信方法を通知すればよい。これによれば、制御装置４０は、移動局２０ａに、第１送信方法と第２送信方法を必要に応じて使い分けさせることができる。
【００８６】
（送信電力制御）
次に、ＥＵＬＵＬ制御信号及び通知信号の送信電力制御について説明する。ＨＳ−ＤＰＣＣＨ上で送信されるＡｃｋ，Ｎａｃｋ、ＣＱＩ等の信号は、チャネルコーディング方法や、信号に対する所要品質が異なる。例えば、図１４に示すように、Ａｃｋ，Ｎａｃｋ、ＣＱＩはそれぞれ所要品質を満たすために必要な送信時の所要ＰＯが異なる。そのため、図１５に示すように、制御装置４０の設定部４１は、Ａｃｋ送信時のＰＯ（以下「Ａｃｋ  ＰＯ」と表す）、Ｎａｃｋ送信時のＰＯ（以下「Ｎａｃｋ  ＰＯ」と表す）、ＣＱＩ送信時のＰＯ（以下「ＣＱＩ  ＰＯ」と表す）を、それぞれ異なる値に設定できる。
【００８７】
ＥＵＬＵＬ制御信号をＨＳ−ＤＰＣＣＨ１ｃ上のＣＱＩスロットにて送信するとき、ＥＵＬＵＬ制御信号のチャネルコーディングや所要品質は、ＣＱＩと異なる場合がある。そのため、制御装置４０の設定部４１は、ＣＱＩ  ＰＯとは別で、ＥＵＬＵＬ制御信号をＣＱＩスロットにおいて送信するときに用いるＰＯを設定する。以下、ＥＵＬＵＬ制御信号を送信時のＰＯを、「ＥＵＬ  ＰＯ」と表す。
【００８８】
具体的には、設定部４１は、ＥＵＬＵＬ制御信号を送信する制御信号送信電力値として、ＥＵＬ  ＰＯを設定する。設定内容通知部４２は、設定部４１により設定された制御信号送信電力値として、ＥＵＬ  ＰＯを移動局２０ａ及び基地局１０に通知する。尚、設定内容通知部４２は、少なくとも移動局２０ａに制御信号送信電力値を通知すればよい。そして、移動局２０ａの無線制御部２３は、ＥＵＬＵＬ制御信号を送信する送信電力を制御する。無線制御部２３は、制御装置４０から通知されたＥＵＬ  ＰＯを用いてＥＵＬＵＬ制御信号を送信する。これによれば、移動局２０ａは、送信電力の制御によりＵＥＬＵＬ制御信号の所要品質を満たすことができる。
【００８９】
例えば、図１６に示すように、制御装置４０の設定部４１が、ＥＵＬ  ＰＯを設定する。具体的には、設定部４１は、Ａｃｋ  ＰＯ＝６、Ｎａｃｋ  ＰＯ＝７、ＣＱＩ  ＰＯ＝３とは別に、ＥＵＬ  ＰＯ＝９を設定する。そして、設定内容通知部４２が、Ａｃｋ  ＰＯ＝６、Ｎａｃｋ  ＰＯ＝７、ＣＱＩ  ＰＯ＝３、ＥＵＬ  ＰＯ＝９を移動局２０ａ及び基地局１０に通知する。移動局２０ａは、通知されたＡｃｋ  ＰＯ＝６、Ｎａｃｋ  ＰＯ＝７、ＣＱＩ  ＰＯ＝３、ＥＵＬ  ＰＯ＝９を用いて、Ａｃｋ、Ｎａｃｋ、ＣＱＩ、ＥＵＬＵＬ制御信号を送信する。これにより、移動局２０ａは、他の信号に影響を与えることなく、ＥＵＬＵＬ制御信号の所要品質を満たすことが可能となる。
【００９０】
更に、上記したように通知信号を送信する場合がある。ＥＵＬＵＬ制御信号の送信検出に用いる通知信号の所要品質が、ＣＱＩやＥＵＬＵＬ制御信号と異なる場合がある。そのため、制御装置４０は、ＣＱＩ  ＰＯやＥＵＬ  ＰＯとは別に独立して、通知信号の送信時に用いるＰＯ（以下「通知信号  ＰＯ」と表す）を設定する。
【００９１】
具体的には、図１７に示すように、制御装置４０の設定部４１は、ＥＵＬＵＬ制御信号の送信検出用に送信する通知信号の通知信号  ＰＯを、通知信号送信電力値として設定する。設定内容通知部４２は、移動局及び基地局１０に、通知信号  ＰＯを通知する。尚、設定内容通知部４２は、少なくとも移動局２０ａに通知信号送信電力値を通知すればよい。そして、移動局２０ａの無線制御部２３は、通知信号を送信する送信電力を制御する。無線制御部２３は、制御装置４０から通知された通知信号  ＰＯを用いて通知信号を送信するように無線部２１を制御する。これにより、ＥＵＬＵＬ制御信号送信を検出する通知信号の所要品質を、他の信号に影響を与えることなく満たすことが可能となる。
【００９２】
例えば、図１７に示すように、制御装置４０の設定部４１は、Ａｃｋ  ＰＯ＝６、Ｎａｃｋ  ＰＯ＝７、ＣＱＩ  ＰＯ＝３、ＥＵＬ  ＰＯ＝９とは別に、通知信号  ＰＯ＝１２を設定する。そして、設定内容通知部４２が、Ａｃｋ  ＰＯ＝６、Ｎａｃｋ  ＰＯ＝７、ＣＱＩ  ＰＯ＝３、ＥＵＬ  ＰＯ＝９、通知信号  ＰＯ＝１２を移動局２０ａ及び基地局１０に通知する。移動局２０ａは、通知されたＡｃｋ  ＰＯ＝６、Ｎａｃｋ  ＰＯ＝７、ＣＱＩ  ＰＯ＝３、ＥＵＬ  ＰＯ＝９、通知信号  ＰＯ＝１２を用いて、Ａｃｋ、Ｎａｃｋ、ＣＱＩ、ＥＵＬＵＬ制御信号、通知信号を送信する。
【００９３】
（判定方法）
次に、通知信号の判定方法について説明する。移動局２０ａが通知信号を基地局１０に送信する場合、移動局２０ａがＨＳＤＰＡに従って、通常のＣＱ（ＣＱＩ値が０〜３０のＣＱＩ）を送信したときや、ＤＴＸ（Discontinuous  Transmission）を送信したときに、基地局１０が通知信号と判断してしまう可能性がある。そして、基地局１０は、次のＣＱＩスロットにて受信する信号をＥＵＬＵＬ制御信号だと誤認する可能性がある。これにより、基地局１０はＨＳＤＰＡに従った通常のＣＱＩを高効率伝送方式に従う動作に反映させてしまう。更に、基地局１０は、ＨＳＤＰＡに従う通常のＣＱＩをＨＳＤＰＡのスケジューリングに反映できない。その結果、高効率伝送方式やＨＳＤＰＡによるデータ送信の品質劣化を招くおそれがある。
【００９４】
そのため、基地局１０の検出部１６は、通知の信頼度を判定し、その判定結果に基づいてＥＵＬＵＬ制御信号を検出することが好ましい。これによれば、基地局１０は、ＥＵＬＵＬ制御信号をより適切に検出できる。この場合、制御装置４０の設定部４１は、通知の信頼度の閾値を設定する。設定内容通知部４２は、設定部４１により設定された信頼度の閾値を基地局１０に通知する。これによれば、制御装置４０は、基地局１０によるＥＵＬＵＬ制御信号の検出を適切に制御できる。
【００９５】
具体的には、図１８に示すように、設定部４１は、通知の信頼度の閾値として、通知信号信頼度判定閾値＝σを設定する。設定内容通知部４２は、通知信号信頼度判定閾値＝σを基地局１０及び移動局２０ａに通知する。尚、設定内容通知部４２は、少なくとも基地局１０に通知信号信頼度判定閾値を通知すればよい。移動局２０ａが、通知信号を含む送信ＨＳ−ＤＰＣＣＨ１０１を基地局１０に送信する。
【００９６】
基地局１０は信頼度判定前ＨＳ−ＤＰＣＣＨ１０２を受信する。基地局１０の検出部１６は、受信したＨＳ−ＤＰＣＣＨ１０２に含まれる通知信号の信頼度を計算する。検出部１６は、制御装置４０から通知された通知信号信頼度判定閾値＝σと、信頼度の計算値とを比較する信頼度判定を行う。基地局１０は、信頼度の計算値が通知信号信頼度判定閾値＝σよりも高い場合には通知信号と判定し、低い場合にはＣＱＩが通常通り送信されていると判定する。
【００９７】
例えば、基地局１０は、サブフレーム番号１において通知信号を受信したため、信頼度判定を行う。移動局２０ａは、サブフレーム番号１において通知信号を送信しているため、基地局１０が計算した通知信号の信頼度は、通知信号信頼度判定閾値＝σよりも高いという判定結果が得られる。そのため、基地局１０は通知信号を受信したと判断する。そして、次のＣＱＩスロットにおいて送信されるＥＵＬＵＬ制御信号を検出する。
【００９８】
一方、サブフレーム番号３では、移動局２０ａは、ＨＳＤＰＡに従って通常のＣＱＩを送信しているが、基地局１０は、誤って通知信号を受信している。そのため、基地局１０が計算した通知信号の信頼度は、通知信号信頼度判定閾値＝σよりも低いという判定結果が得られる。そのため、基地局１０は通常のＣＱＩを受信したと判断する。これにより、信頼度判定後ＨＳ−ＤＰＣＣＨ１０３では、サブフレーム番号３は通常のＣＱＩとなる。これにより、基地局１０が、サブフレーム番号３の次のＣＱＩスロットにおいて送信される通常のＣＱＩをＥＵＬＵＬ制御信号と誤認してしまうことを回避できる。よって、高効率伝送方式やＨＳＤＰＡによるデータ送信の品質劣化を防止できる。
【００９９】
次に、ＥＵＬＵＬ制御信号自体の判定について説明する。移動局２０ａは、ＥＵＬＵＬ制御信号に、ＣＲＣ（Cyclic  Redundancy  Check）ビット等の正誤判定ビットを付与して送信する。基地局１０の検出部１６は、通知信号を受信していないため、ＨＳＤＰＡに従う通常のＣＱＩとしてＣＱＩスロットにおける信号を復号するときに、同時にその信号をＥＵＬＵＬ制御信号として復号を試み、ＣＲＣ判定を行う。検出部１６は、ＣＲＣの判定結果がＮＧの場合は、その信号は通常のＣＱＩであったと判断する。一方、検出部１６は、ＣＲＣの判定結果がＯＫの場合は、その信号はＥＵＬＵＬ制御信号であったと判断する。
【０１００】
例えば、図１９に示すように、移動局２０ａは、サブフレーム番号１、サブフレーム番号２において、ＨＳＤＰＡに従う通常のＣＱＩを送信し、サブフレーム番号３において通知信号を送信し、サブフレーム番号４においてＥＵＬＵＬ信号を送信する送信ＨＳ―ＤＰＣＣＨ１０４を送信する。
【０１０１】
基地局１０は、サブフレーム番号１、サブフレーム番号２、サブフレーム番号３において通常のＣＱＩを受信し、サブフレーム番号４において通常のＣＱＩを受信し、ＣＲＣ判定前ＨＳ―ＤＰＣＣＨ１０５を受信する。基地局１０は、受信した通常のＣＱＩをＥＵＬＵＬ制御信号としても復号し、ＣＲＣ判定を行う。基地局１０は、サブフレーム番号１，２については、ＣＲＣ判定結果がＮＧであるため、基地局１０は通常ＣＱＩを正しく受信したと判断する。一方、基地局１０は、サブフレーム番号４のＣＲＣ判定結果がＯＫとなるため、基地局１０はサブフレーム番号４においてＥＵＬＵＬ制御信号を受信したと判断する。その結果、基地局１０は、ＣＲＣ判定後ＨＳ−ＤＰＣＣＨ１０６を受信したと判断する。よって、基地局１０は、ＥＵＬＵＬ制御信号をＨＳＤＰＡに従う通常のＣＱＩと誤認してしまうことを防止できる。
【０１０２】
基地局１０の検出部１６は、通知信号の信頼度判定とＥＵＬＵＬ信号のＣＲＣ判定の両方を行うことが好ましい。例えば、検出部１６は、信頼度が信頼度の閾値よりも低い場合にだけ、ＣＲＣ判定を行うことができる。
【０１０３】
（効果）
このような移動通信システム１００、移動局２０ａ〜２０ｃ、基地局１０、制御装置４０及び移動通信方法によれば、  高効率上りリンク物理制御信号（ＥＵＬＵＬ制御信号）と、パケット高速伝送方式に従う高速上りリンク物理制御チャネル（ＨＳ−ＤＰＣＣＨ）上の高速上りリンク物理制御信号とを時間多重して送信することによって、パケット高速伝送方式に従う物理チャネル（ＨＳ−ＤＰＣＣＨやＨＳ−ＤＳＣＨ）の伝送品質はほとんど影響を受けない。しかも、時間多重を行うため、同時に送信する信号のコード多重数の増加を防止できる。そのため、移動局２０ａ〜２０ｃの送信電力におけるピーク電力対平均電力比（ＰＡＲ）の増大を防止できる。
【０１０４】
特に、移動通信システム１００では、パケット高速伝送方式に従う高速上りリンク物理制御チャネル（ＨＳ−ＤＰＣＣＨ）に含まれる無線品質情報（ＣＱＩ）を送信する品質用タイムスロット（ＣＱＩスロット）において、高効率上りリンク物理制御信号（ＥＵＬＵＬ制御信号）を送信することができる。図６に示したように無線品質情報（ＣＱＩ）の送信頻度を抑えても、データ送信のスループットはほとんど影響を受けない。そのため、移動通信システム１００は、既存の物理チャネル（ＨＳ−ＤＳＣＨ）の伝送品質劣化を防止できる。
【０１０５】
よって、移動通信システム１００、移動局２０ａ〜２０ｃ、基地局１０、制御装置４０及び移動通信方法によれば、既存の物理チャネル（ＤＰＤＣＨ、ＤＰＣＣＨ、ＨＳ−ＤＰＣＣＨ、ＨＳ−ＤＳＣＨ）に影響を与えたり、移動局２０ａ〜２０ｃの送信電力におけるピーク電力対平均電力比を増大させたりすることなく、高効率上りリンク物理制御信号（ＥＵＬＵＬ制御信号）を送信することができる。
【０１０６】
（変更例）
本発明は、上記実施形態に限定されるものではなく、種々の変更が可能である。例えば、基本的に、高効率伝送方式（ＥＵＬ）とＨＳＤＰＡの両方を運用する移動通信システムだけでなく、基本的に高効率伝送方式（ＥＵＬ）だけを運用する移動通信システムも構築可能である。
【０１０７】
よって、上記実施形態における移動局２０ａ〜２０ｃと基地局１０との間のＥＵＬＵＬ制御信号の送受信を、例えば、基本的に高効率伝送方式（ＥＵＬ）だけを運用する移動通信システムにも適用できる。具体的には、移動機局と基地局との間で、上りリンクにおいてはＥＵＬを適用しているものの、下りリンクにおいてはＨＳＤＰＡを適用していない移動通信システムおいて、ＨＳ−ＤＰＣＣＨを送信する際には、通常のＣＱＩは常にＤＴＸ送信されていると想定して、上記実施形態と同様にＥＵＬＵＬ制御信号の送受信を行う。
【０１０８】
例えば、図２０に示すように、基地局１０と移動局２０ａは、ＨＳ−ＤＰＣＣＨ１ｃの送信を開始するときに、通知信号やＥＵＬＵＬ制御信号を送信しないタイムスロットでは何も送信せずに、ＤＴＸ送信されているとみなして信号の送受信を行うことができる。これによれば、運用形態の違い応じてシステムを開発する必要がなく、コスト削減を図ることができる。
【図面の簡単な説明】
【０１０９】
【図１】本発明の実施の形態に係る移動通信システムの構成を示す図である。
【図２】本発明の実施の形態に係る物理チャネルの送信を示す図である。
【図３】本発明の実施の形態に係るＥ−ＤＰＤＣＨ／ＥＰＬＵＬ制御信号を送信しないときの上りリンクにおける物理チャネルを説明する図である。
【図４】本発明の実施の形態に係るＥ−ＤＰＤＣＨ／ＥＰＬＵＬ制御信号を送信するときの上りリンクにおける物理チャネル（フレーム長１０ｍｓ）を説明する図である。
【図５】本発明の実施の形態に係るＥ−ＤＰＤＣＨ／ＥＰＬＵＬ制御信号を送信するときの上りリンクにおける物理チャネル（フレーム長２ｍｓ）を説明する図である。
【図６】無線品質情報（ＣＱＩ）の送信間隔がデータ送信のスループットに与える影響を示すグラフ図である。
【図７】本発明の実施の形態に係る移動局の構成を示すブロック図である。
【図８】本発明の実施の形態に係る基地局の構成を示すブロック図である。
【図９】本発明の実施の形態に係る無線制御装置の構成を示すブロック図である。
【図１０】本発明の実施の形態に係る既知タイミングを用いる場合を示す図である。
【図１１】本発明の実施の形態に係る通知信号を用いる場合を示す図である。
【図１２】本発明の実施の形態に係る受信電力判定を示す図である。
【図１３】本発明の実施の形態に係る送信方法を設定する場合を示す図である。
【図１４】本発明の実施の形態に係る信号による所要ＰＯの違いを示す図である。
【図１５】本発明の実施の形態に係るＰＯ設定を示す図である。
【図１６】本発明の実施の形態に係るＰＯ設定（ＥＵＬ  ＰＯを含む場合）を示す図である。
【図１７】本発明の実施の形態に係るＰＯ設定（通知信号  ＰＯを含む場合）を示す図である。
【図１８】本発明の実施の形態に係る通知信号の信頼度判定を示す図である。
【図１９】本発明の実施の形態に係るＥＵＬＵＬ制御信号のＣＲＣ判定を示す図である。
【図２０】本発明の変更例に係る移動通信システムを示す図である。
【図２１】既存の上りリンクを示す図である。
【図２２】第１方法、第２方法、第３方法を示す図である。
【符号の説明】
【０１１０】
１００  移動通信システム
１０  基地局
１１  無線部
１２  ベースバンド信号処理部
１３  制御部
１４  検出部
１５  アンテナ
２０ａ，２０ｂ，２０ｃ  移動局
２１  無線部
２２  ベースバンド信号処理部
２３  無線制御部
２４  インタフェース
２５  アンテナ
２６  送信通知部
３０  無線制御装置
３１  ネットワークインタフェース
３２  制御部
４０  制御装置
４１  設定部
４２  設定内容通知部
【図１】
2006033778.tif 000003
【図２】
2006033778.tif 000004
【図３】
2006033778.tif 000005
【図４】
2006033778.tif 000006
【図５】
2006033778.tif 000007
【図６】
2006033778.tif 000008
【図７】
2006033778.tif 000009
【図８】
2006033778.tif 000010
【図９】
2006033778.tif 000011
【図１０】
2006033778.tif 000012
【図１１】
2006033778.tif 000013
【図１２】
2006033778.tif 000014
【図１３】
2006033778.tif 000015
【図１４】
2006033778.tif 000016
【図１５】
2006033778.tif 000017
【図１６】
2006033778.tif 000018
【図１７】
2006033778.tif 000019
【図１８】
2006033778.tif 000020
【図１９】
2006033778.tif 000021
【図２０】
2006033778.tif 000022
【図２１】
2006033778.tif 000023
【図２２】
2006033778.tif 000024